(57)【要約】【課題】洗濯品の仕上げ処理を要求が満たされるようにし、及びアイロンがけを経済的かつ欠点なく行うことができる方法及び装置を創造すること。【解決手段】洗濯品のアイロンがけのための方法であって、前記洗濯品が少なくとも１つのアイロナボディと少なくとも１つの周方向に駆動されるアイロナバンド１７の間のアイロナ隙間を通って搬送され、同時にしわ伸ばしがされる前記方法において、周方向に駆動されるアイロナローラ１２がアイロナボディとして機能し、少なくとも１つのアイロナローラ１２及び少なくとも１つのアイロナバンド１７が、少なくとも１つのアイロナローラ１２と少なくとも１つのアイロナバンド１７の間の相対運動がアイロナ隙間に沿って生じるように周方向に駆動される。【選択図】図１
2016137242.tif 000002
【特許請求の範囲】
【請求項１】
洗濯品（１１）のアイロンがけのための方法であって、前記洗濯品（１１）が少なくとも１つのアイロナボディと少なくとも１つの周方向に駆動されるアイロナバンド（１７，６４）の間のアイロナ隙間（２５）を通って搬送され、同時にしわ伸ばしがされる前記方法において、
周方向に駆動されるアイロナローラ（１２）がアイロナボディとして機能し、前記少なくとも１つのアイロナローラ（１２）及び前記少なくとも１つのアイロナバンド（１７，６４）が、前記少なくとも１つのアイロナローラ（１２）と前記少なくとも１つのアイロナバンド（１７）の間の相対運動が前記アイロナ隙間（２５）に沿って生じるように周方向に駆動されることを特徴とする方法。
【請求項２】
回転速度を調整することで、要求に応じて前記相対運動が調整され得るとともに、スリップが前記洗濯品（１１）の一方側と前記少なくとも１つのアイロナローラ（１２）の間で生じ得ることを特徴とする請求項１記載の方法。
【請求項３】
前記少なくとも１つのアイロナローラ（１２）に対する前記洗濯品（１１）でのスリップが、該アイロナローラの回転速度について調整することで生じることを特徴とする請求項２記載の方法。
【請求項４】
前記少なくとも１つのアイロナローラ（１２）に対する前記洗濯品（１１）でのスリップが、前記アイロナバンド（１７）の周速について調整することで生じることを特徴とする請求項２記載の方法。
【請求項５】
洗濯品（１１）をアイロンがけするための装置であって、該装置が、少なくとも１つのアイロナボディと、該少なくとも１つのアイロナボディに連係されつつ周方向に駆動可能な少なくとも１つのアイロナバンド（１７）とを有しており、前記洗濯品（１１）が、前記アイロナボディ又は各アイロナボディと前記アイロナバンド（１７）の間のアイロナ隙間（２５）を通して搬送可能である前記装置において、
前記アイロナボディ又は各アイロナボディがアイロナローラ（１２）として実現されており、少なくとも１つの該アイロナローラ（１２）も周方向に駆動可能であり、前記少なくとも１つのアイロナローラ（１２）及び前記少なくとも１つのアイロナバンド（１７）が、前記アイロナ隙間（２５）に沿って互いに対する相対運動を含むように駆動可能であることを特徴とする装置。
【請求項６】
前記少なくとも１つのアイロナローラ（１２）の外側面（１３）における外側での周速が、前記アイロナ隙間（２５）における前記アイロナバンド（１７）の周速よりも速いか、又は遅いことを特徴とする請求項５記載の装置。
【請求項７】
前記少なくとも１つのアイロナローラ（１２）の前記外側面（１３）の外面が、前記洗濯品（１１）と接触する前記少なくとも１つのアイロナバンド（１７）の表面よりも平滑であることを特徴とする請求項５又は６記載の装置。
【請求項８】
洗濯品（１１）のアイロンがけのための方法であって、前記洗濯品（１１）が少なくとも１つのアイロナボディと少なくとも１つのアイロナバンド（１７，６４）の間のアイロナ隙間（２５）を通して搬送され、少なくとも１つのアイロナボディの外側面が蒸気によって加熱される前記方法において、
前記少なくとも１つのアイロナボディの前記外側面（１３）又はいくつかの連続したアイロナボディの外側面（１３）が可変のエネルギー容量を有する蒸気によって加熱されることを特徴とする方法。
【請求項９】
前記少なくとも１つのアイロナボディの前記外側面（１３）の一部が、同一のアイロナボディの少なくとも１つの他の部分よりも大きなエネルギー容量を含む蒸気で加熱され、前記洗濯品（１１）の導入範囲（２１）から前記アイロナ隙間（２５）へ進む前記少なくとも１つのアイロナボディの一部が同一のアイロナボディの導出範囲（２２）から進む前記アイロナボディの一部よりも大きなエネルギー容量を有する蒸気によって加熱されることを特徴とする請求項８記載の方法。
【請求項１０】
生蒸気がより大きなエネルギー容量を有する蒸気として用いられ、膨張した生蒸気がより小さなエネルギー容量を有する蒸気として用いられることを特徴とする請求項８又は９記載の方法。
【請求項１１】
より大きなエネルギー容量を有する前記蒸気が、第１のアイロナボディの前記外側面（１３）の加熱された第１の部分から除去され、再蒸発へさらされ、同時に生成された膨張された蒸気が同一のアイロナボディの他の部分へ供給されることを特徴とする請求項８記載の方法。
【請求項１２】
洗濯品（１１）をアイロンがけするための装置であって、該装置が、少なくとも１つのアイロナボディと、該少なくとも１つのアイロナボディに連係されつつ周方向に駆動可能な少なくとも１つのアイロナバンド（１７，６４）とを有しており、前記洗濯品（１１）が、前記アイロナボディ又は各アイロナボディと前記アイロナバンド（１７，６４）の間のアイロナ隙間（２５）を通して搬送可能である前記装置において、
一方側で前記アイロナ隙間（２５）を規定する前記少なくとも１つのアイロナボディの外側面（１３）が、アイロナボディを加熱するための熱媒体のために前記アイロナ隙間（２５）の長手方向において連続する２つの別々のキャビティ（３９，４０）と連係されているか、又はいくつかの連続したアイロナボディの場合には、個々の前記アイロナボディの前記キャビティに可変のエネルギー容量を有する蒸気が供給されることを特徴とする装置。
【請求項１３】
前記各キャビティ（３９，４０）が、前記熱媒体を供給するための少なくとも１つの供給接続部（４５，４６）と、前記熱媒体を排出するための導出接続部（４７，４８）とを含んでおり、前記各供給接続部（４５，４６）が、前記各アイロナボディの少なくとも１つの上方範囲と連係されており、前記各導出接続部（４７，４８）が、前記各アイロナボディの下方範囲と連係されていることを特徴とする請求項１２記載の装置。
【請求項１４】
生蒸気によって通過されるキャビティ（３９）の導出接続部（４７）が凝縮分離器及び／又は蒸気処理装置へ延びる配管と連係しており、前記蒸気処理装置が、膨張された蒸気を他のキャビティ（４０）の供給接続部（４６）へ供給するための配管と連係していることを特徴とする請求項１２又は１３記載の装置。
【請求項１５】
生蒸気のための少なくとも１つのキャビティ（３９）が、前記導入範囲（２１；６６，６８）から来る、少なくとも１つのアイロナボディのキャビティ（３９）と連係しており、膨張された蒸気のための少なくとも１つのキャビティ（４０）が、前記導出範囲（２２；６７，６９）から来る、前記少なくとも１つのアイロナボディの一部と連係していることを特徴とする請求項１２記載の装置。
【請求項１６】
洗濯品（１１）をアイロンがけするための装置であって、該装置が、少なくとも１つのアイロナボディと、該少なくとも１つのアイロナボディに連係されつつ周方向に駆動可能な少なくとも１つのアイロナバンド（１７，６４）とを有しており、前記洗濯品（１１）が、前記アイロナボディ又は各アイロナボディと前記アイロナバンド（１７，６４）の間のアイロナ隙間（２５）を通して搬送可能である前記装置において、
前記各アイロナ隙間（２５）への前記洗濯品の少なくとも１つの導入範囲（２１；６６，６８）が、供給補助具と連係しており、前記導入範囲（２１；６６，６８）の手前の前記供給補助具の始点が、前記アイロナバンド（１７；６４）からの空間において保持されており、前記供給補助具が前記始点の反対側に位置する自由端によって前記アイロナ隙間（２５）内へ突出していることを特徴とする装置。
【請求項１７】
前記供給補助具が、良好なスライド特性を有するソフトで柔軟な材料ストリップ（３３）として実現されていることを特徴とする請求項１６記載の装置。
【請求項１８】
前記供給補助具が、前記洗濯品（１１）に付着しない表面を有するソフトで柔軟な材料ストリップ（３３）として実現されていることを特徴とする請求項１６記載の装置。
【請求項１９】
前記材料ストリップ（３３）の始点における前記導入範囲（２１；６６，６８）の手前に密接して位置する横方向エッジ（３５）が、前記アイロナバンド（１７；６４）と前記材料ストリップ（３３）の間で包囲された前記洗濯品（１１）を前記アイロナ隙間（２５）の始点へ供給するための供給漏斗部を形成するために、前記アイロナバンド（１７；６４）の上方で不動に固定されていることを特徴とする請求項１６又は１７記載の装置。
【請求項２０】
洗濯品（１１）をアイロンがけするための装置であって、該装置が、少なくとも１つのアイロナボディと、該少なくとも１つのアイロナボディに連係されつつ周方向に駆動可能な少なくとも１つのアイロナバンド（１７，６４）とを有しており、前記洗濯品（１１）が、前記アイロナボディ又は各アイロナボディと前記アイロナバンド（１７，６４）の間のアイロナ隙間（２５）を通して搬送可能である前記装置において、
前記アイロナ隙間又は各アイロナ隙間（２５）の少なくとも１つの導出範囲（２２；６７，６９）が、アイロンがけされた洗濯品（１１）のための少なくとも１つの排出補助具と連係していることを特徴とする装置。
【請求項２１】
前記アイロナバンド（１７；６４）と前記材料ストリップ（３７）の間の導出範囲（２２；６７，６９）へアイロンがけされた洗濯品（１１）を案内するための固定されたアイロナボディにおいて、少なくとも１つの排出補助具が、前記アイロナ隙間（２５）の端部で前側の横方向エッジに固定された薄壁の柔軟な材料ストリップ（３７）として実現されていることを特徴とする請求項２０記載の装置。
【請求項２２】
前記洗濯品（１１）に接触する少なくとも１つの材料ストリップ（３３，３７）の少なくとも１つの表面が良好なスライド特性を備えているとともに非付着性であることを特徴とする請求項１６又は２０記載の装置。
【請求項２３】
排出補助具が前記アイロナバンド（１７；６４）と接触する前記洗濯品（１１）の一方側と連係していることを特徴とする請求項２０記載の装置。
【請求項２４】
前記アイロナバンド（１７；６４）に当接する前記洗濯品（１１）の一方側と連係する前記排出補助具が、前記各洗濯品（１１）を機械的に前記アイロナバンド（１７；６４）から分離させることを特徴とする請求項２０記載の装置。
【請求項２５】
前記アイロナバンド（１７；６４）に当接する前記洗濯品（１１）の側部と連係する前記排出補助具が、前記各洗濯品（１１）を空圧的に前記アイロナバンド（１７；６４）から分離させることを特徴とする請求項２０記載の装置。
【請求項２６】
前記排出補助具が、前記バンドアイロナ（１０）の前記導出範囲（２２；６７；６９）において前記アイロナバンド（１７；６４）の案内ドラム（２０）と連係していることを特徴とする請求項１８記載の装置。
【請求項２７】
前記排出補助具が、前記バンドアイロナ（１０）の前記導出範囲（２２；６７；６９）において前記アイロナバンド（１７；６４）の前記案内ドラム（２０）と連係する少なくとも１つの不動のバッフルプレート（８６）として実現されていることを特徴とする請求項１８又は２４記載の装置。
【請求項２８】
前記排出補助具が、圧縮エアが供給される少なくとも１つのエアノズル（８９）を含んでおり、エアノズルのエアジェットが、前記アイロナバンド（１７；６４）に当接する前記洗濯品（１１）の側部に対して向けられていることを特徴とする請求項２５記載の装置。
【請求項２９】
前記排出補助具が、少なくとも１つの回転ブラシによって形成されていることを特徴とする請求項１８又は２３記載の装置。
【請求項３０】
少なくとも１つのブラシが、アイロンがけ方向（２８）において前記バンドアイロナ（１０）につづくベルトコンベヤのドラムと連係し、該ドラムが前記バンドアイロナ（１０）の導出範囲（２２；６７；６９）へ向けられていることを特徴とする請求項２９記載の装置。
【請求項３１】
前記ブラシが、ドラムと共に回転するブラシリング（９０）として実現されていることを特徴とする請求項３０記載の装置。
【請求項３２】
前記ブラシリング（９０）が、前記ベルトコンベヤの隣接した狭いベルト（９１）間の少なくともいくつかのスペース（９２）に配置されていることを特徴とする請求項３１記載の装置。
【請求項３３】
前記洗濯品（１１）と接触する少なくとも１つのアイロナボディの外側面（１３）が、非付着の特性を備えており、前記洗濯品が前記少なくとも１つのアイロナボディの前記外側面（１３）を通過するときに前記少なくとも１つのアイロナバンド（１７；６４）が前記洗濯品（１１）を巻き込むための付着性の特性を備えていることを特徴とする請求項１６又は２０記載の装置。
【発明の詳細な説明】
【技術分野】
【０００１】
本発明は、請求項１又は８の前提部分による、洗濯品のアイロンがけのための方法に関するものである。加えて、本発明は、請求項５、１２、１６又は２０の前提部分による、洗濯品をアイロンがけするための装置に関するものでもある。
【背景技術】
【０００２】
工業用の洗濯及び家庭用の洗濯物の両者における全ての種類の洗濯品のアイロンがけは、様々な装置を用いて行われる。少なくとも１つの回転駆動可能なアイロナローラと、アイロナローラと連係された半円状の加熱可能なアイロナチェストとを有するいわゆるチェストアイロンは、家庭においてもまた工業においても主として用いられている。少なくとも１つのアイロナボディと、アイロナボディと連係する少なくとも１つの周方向に駆動可能なアイロナバンドを含む、通常はバンドアイロナと呼ばれる装置も用いられる。
【０００３】
本発明は、バンドアイロナに関するものである。このタイプの公知の装置の場合には、処理されるべき洗濯品は、周方向に駆動されるアイロナバンドによって、固定されたアイロナボディに沿って移動する。同時に、洗濯品と固定されたアイロナボディの間にスリップが存在する。これは、アイロナボディに当接する洗濯品の片側における平滑な仕上げに結びつくものである。仕上げの光沢の度合い又は平滑さの度合いは、スリップの調整によって影響され得る。わずかな仕上げのみが所望される場合には、アイロナバンドの周速を低減することで公知のバンドアイロナの場合にのみ実現され得るスリップが低減される必要がある。これは、アイロナ出力を低下させるものである。公知のバンドアイロナの場合における更なる問題は、洗濯品に接触し押圧面を形成するアイロナボディの側面の加熱である。公知のバンドアイロナの場合には、アイロナ隙間の導入範囲における洗濯品の供給も問題である。アイロナ隙間の導出範囲からのアイロンがけされた洗濯品の方向転換も、公知のバンドアイロナの場合には問題を生じさせることがある。
【発明の概要】
【発明が解決しようとする課題】
【０００４】
本発明の基礎をなす目的は、洗濯品の仕上げ処理を要求が満たされるようにし、及びアイロンがけを経済的かつ欠点なく行うことができる方法及び装置を創造することにある。
【課題を解決するための手段】
【０００５】
上記目的を達成するための第１の方法は、請求項１における手段を含んでいる。上記方法によれば、少なくとも１つのアイロナボディがアイロナローラと同一に実現されることで周方向に駆動され、少なくとも１つのアイロナローラと少なくとも１つのアイロナバンドの間の目標とする相対運動が生じるように、周方向に駆動される少なくとも１つのアイロナバンドと同様に少なくとも１つのアイロナローラも駆動されるようになっている。
【０００６】
好ましい形態では、アイロナローラ又はアイロナバンドの駆動速度又は回転速度を調整することで、また適用可能であれば、少なくとも１つのアイロナローラ及び少なくとも１つのアイロナバンド両方の駆動速度を調整することで、各アイロナローラと各アイロナバンドの間の相対速度が所望の態様で調整されることが可能であるようになっている。結果として、アイロナローラへ向ける各洗濯品の側におけるスリップと、これにつづく、洗濯製品の前記側での仕上げとが、任意の態様で、特に無段階に要求に合わせて調整され得る。
【０００７】
好ましい形態では、少なくとも１つのアイロナローラと少なくとも１つのアイロナバンドの間の相対運動の範囲を調整することで、洗濯品特にアイロナローラと当接する洗濯品の側の間の各アイロナローラに対するスリップが増大されるか、若しくは低減され、又は適用可能であれば要求に合わせて瞬間的に完全に除去される。前記スリップは、各アイロナバンドに対する各アイロナローラのより小さな周速又はより大きな周速の結果として生じることが可能である。
【０００８】
方法の他の発展オプションは、少なくとも１つのアイロナローラ、特にアイロナローラによって形成された押圧面の外周部に対する洗濯品のスリップが、スリップなしに洗濯品を巻き込む少なくとも１つのアイロナバンドに対してより遅く回転する少なくとも１つのアイロナローラの駆動によって生じることを提供する。結果として、各アイロナローラの周速は、スリップなしに各アイロナバンドによって巻き込まれた洗濯品がアイロナローラ又はその押圧面に沿って移動する速度よりも小さい。
【０００９】
冒頭に挙げた目的を達成するための第１の装置は、請求項５の特徴を含んでいる。それゆえ、少なくとも１つのアイロナローラは、周方向に回転可能に駆動可能なアイロナローラとして実現されている。この場合、少なくとも１つのアイロナローラ及び少なくとも１つのアイロナバンドは、これらがアイロナ隙間に沿って異なる速度で走行し、その結果互いに対する相対運動が生じるように駆動可能である。
【００１０】
好ましくは、相対運動が調整可能な回転速度における各アイロナローラの駆動によって生じ得る一方、各アイロナバンドは、一定の回転速度で駆動される。しかしながら、アイロナローラを一定の速度で駆動し、その代わりに、アイロナバンドの周速が調整可能であるよう各アイロナバンドの駆動を実現することも考えられる。アイロナローラ及びアイロナバンドの両方を調整可能な速度及び／又は回転速度で駆動がなされるようにすることも考えられる。少なくとも１つのアイロナローラ及び／又は少なくとも１つのアイロナバンドの調整可能な速度又は回転速度の結果として、各アイロナローラと、これと連係するアイロナバンドの間のスリップは、好ましくは無段階の形態で及び／又は任意の形態で調整され得る。結果として、アイロナローラと連係された洗濯品の片側の仕上げは、要求に合わせて可変、特に調整可能である。
【００１１】
好ましい形態では、少なくとも１つのアイロナローラが、各アイロナローラの外側面における外側での周速が少なくとも１つのアイロナバンドがアイロナ隙間又は少なくとも１つのアイロナローラに沿って走行する速度よりも速いか又は遅いように、駆動されるようになっている。結果として、各アイロナローラの外側面とアイロナバンド又はアイロナバンドに連係された洗濯品の間のスリップが、各アイロナローラの外側面によって任意の形態で調整可能である。上記スリップは、ネガティブ又はポジティブであることができ、これは、各アイロナローラが関連するアイロナバンド又はこのアイロナバンドによってスリップなしに巻き込まれる洗濯品よりも速いか、又は遅いことを意味する。このようにして、バンドアイロナのアイロナ隙間を通した洗濯品の処理速度が最大となり得るとともに、それにもかかわらず、アイロナバンドとアイロナローラの間のスリップ又はアイロナローラとスリップなしにアイロナバンドによって巻き込まれる洗濯品との間のスリップを要求に合わせて調整することが可能である。
【００１２】
装置の有利な発展オプションは、少なくとも１つのアイロナローラの外側面すなわち押圧面を、洗濯品と接触する少なくとも１つのアイロナバンドの表面より平滑な形態で実現することを提供するものである。これは、各洗濯品が関連するアイロナバンドによってスリップなしに巻き込まれること、及びアイロナローラとアイロナローラの押圧面と連係する洗濯品の片側の間のスリップのみが存在することを保証する。これは、異なる方法で、例えば平滑で低付着性の表面を実現し、例えばテフロン（商標）、セラミック又はクロムプレートのようなプラスチック材料で形成されたコーティングによって実現されることができる。逆に、少なくとも１つのアイロナバンド、洗濯品と接触するアイロナバンドの少なくとも片側の付着性の特性は、粗い織布又はアイロナバンド若しくはアイロナバンドの少なくとも上面の粗化によって、付着性の特性が得られるように形成される。この結果として、洗濯品が、信頼性をもって、及びスリップなしに各アイロナバンドによって巻き込まれることが可能である。
【００１３】
冒頭に挙げた目的を達成するための更なる方法は、請求項８の手段を含んでいる。これに関連して、これは、上述の方法の好ましい更なる発展であり得る。請求項８の方法は、少なくとも１つのアイロナボディの外側面が可変のエネルギー容量及び／又は可変のエネルギー密度を有する蒸気によって加熱されることを特徴としている。結果として、各アイロナボディの外側面全体は、最大のエネルギー密度を有する蒸気、例えば飽和蒸気又は熱蒸気によって加熱される必要はない。したがって、冷却された蒸気又は既に膨張された蒸気は、各アイロナボディ又は他のアイロナボディの他の部分を加熱するために用いられることができる。動作のこの方法の結果として、蒸気のエネルギーが各アイロナボディを最大限に加熱するために用いられ得る。
【００１４】
好ましい形態においては、少なくとも１つのアイロナボディの外側面の一部が、アイロナボディの少なくとも他の部分よりも大きなエネルギー容量を備える蒸気によって加熱されるようになっている。したがって、それほど多くのエネルギーを必要としないアイロナボディの残りの部分よりも著しい形態において洗濯品をアイロンがけする場合により多くのエネルギーが除去されるアイロナボディの一部を加熱することが可能である。導入側からアイロナ隙間へ進む少なくとも１つのアイロナボディの一部が、好ましくは反対側に配置されたアイロナ隙間の導出側から来る同一のアイロナボディの一部よりも大きなエネルギー容量を有する蒸気によって加熱される。好ましい形態においては、このように、適切な形態において、各アイロナボディ、特にその押圧面の一部又は少なくとも他の一部を加熱するために異なる蒸気タイプを用いることが可能である。好ましい形態においては、導入範囲から来る押圧面に関して、押圧面の初期部分は、アイロナ隙間、好ましくは導出範囲における押圧面の端部まで延びるアイロナボディの一部を通した洗濯物の処理方向に見た場合にこれにつづく押圧面の他の部分よりも大きなエネルギー密度を備えた蒸気によって加熱される。
【００１５】
方法の有利な更なる発展によれば、より大きなエネルギー容量又はより大きなエネルギー密度を有する蒸気として、生蒸気、好ましくは飽和蒸気を用い、より小さなエネルギー容量又はより小さなエネルギー密度を有する蒸気として、既に膨張された蒸気、好ましくはいわゆるフラッシュ蒸気好ましくは飽和蒸気を用いるようになっている。膨張された蒸気は、特にアイロナボディの初期部分を加熱するための蒸気である。上記蒸気は、アイロナボディの外部で膨張され、したがって、いわば、アイロナボディの少なくとも１つの後部を加熱するために適当であるように再び準備される。したがって、最大限のエネルギーを各アイロナボディの加熱のために蒸気から取り除くことが可能である。
【００１６】
いくつかの連続したアイロナボディを有する装置の場合には、より大きなエネルギー容量又はより大きなエネルギー密度を有する蒸気によって第１のアイロナボディ全体を加熱し、第１のアイロナボディからの既に膨張された蒸気、すなわちより小さなエネルギー容量又はより小さなエネルギー密度を有する蒸気によって、つづく少なくとも１つのアイロナバディ全体を加熱することも考えられる。
【００１７】
方法の好ましい発展形態は、より大きなエネルギー容量又はより大きなエネルギー密度を有する蒸気、特に生蒸気又は飽和蒸気が少なくとも１つのアイロナボディ又は初期のアイロナボディの外側面の加熱された第１の部分から除去され、膨張又は再蒸発へ向けられるようになっている。そして、この場合に生じる膨張された蒸気いわゆるフラッシュ蒸気は、同一のアイロナボディの他の部分、好ましくは導出範囲の近傍へ供給されるか、又はつづく他のアイロナボディへ供給される。このようにして、同一のアイロナボディの異なる部分を加熱するために、又は連続する異なるアイロナボディを加熱するために、ほぼカスケード状に蒸気が一度膨張されるか、適用可能であれば、複数回膨張される。この場合、蒸気のエネルギーは、たいていの部分に対して活用される。これにより、１つ又はいくつかのアイロナボディが特に経済的に加熱されることとなる。
【００１８】
冒頭に挙げた目的を達成するための更なる装置は、請求項１２の特徴を含んでいる。前記装置は、上述の装置の好ましい更なる発展でもあり得る。請求項１２における装置の場合には、アイロナボディの加熱のための熱媒体のためのアイロナ隙間の長手方向に連続する少なくとも２つの分離されたキャビティに連係された少なくとも１つのアイロナボディのアイロナ隙間を規定する外側面に対して設定されている。したがって、アイロナ隙間の初期範囲において、少なくとも１つのアイロナボディの外側面は、前記キャビティを通って流れる熱媒体による所定のエネルギー密度によって加熱されることができ、これにつづくアイロナ隙間の少なくとも１つの範囲は、他の熱媒体又はより小さなエネルギー密度を有する熱媒体によってアイロナボディの他の別のキャビティにおいて加熱され得る。アイロンがけ方向に互いに連続する各アイロナボディの分離されたキャビティにより、アイロナ隙間の選択的な加熱が可能である。これは、異なる熱媒体によって生じ得るが、連係されたアイロナボディの外側面の一部を加熱するために先のキャビティにおいて既に除去されたエネルギーの一部からの同一の熱媒体によっても生じ得る。したがって、アイロナ隙間を規定するアイロナボディの押圧面を個々に加熱するために熱媒体、好ましくは蒸気をできる限り有効に活用することが可能である。
【００１９】
好ましい形態においては、関連するアイロナボディにおける各キャビティは、熱媒体を供給するための少なくとも１つの供給接続部と、熱媒体を排出するための少なくとも１つの排出接続部とを備えている。この場合、供給接続部は各アイロナボディの頂部範囲に連係しており、排出接続部は各アイロナボディの底部範囲に連係している。アイロナボディの底部範囲での排出接続部の連係により、アイロナボディにおける各キャビティからの凝縮物と共に加熱に用いられる蒸気を排出することが可能である。
【００２０】
装置の更なる発展オプションは、凝縮分離器及び／又は膨張装置へ延びる配管を熱蒸気又は飽和蒸気によって横切られるキャビティの排出接続部に連係させること、及び膨張された蒸気又はフラッシュ蒸気を同一のアイロナボディの他のキャビティ又はつづく他のアイロナボディへ供給するための配管を凝縮分離器又は膨張装置に連係させることを提供する。
【００２１】
好ましい形態においては、生蒸気、特に飽和蒸気又は熱蒸気のための少なくとも１つのキャビティが導入範囲から来るアイロナボディの側面の前部と連係する一方、膨張された蒸気又はフラッシュ蒸気のための、これから分離された少なくとも１つのキャビティは、導出範囲から来る同一のアイロナボディの側面の後部に連係されるようになっている。このようにして、より小さなエネルギーを有する既に膨張された蒸気は、たいていの部分について洗濯品が既に乾燥されアイロンがけされた位置において意図的に用いられることが可能である一方、エネルギーの大部分は、導入範囲においてまだ湿っておりアイロンがけされていない洗濯品へ供給可能である。
【００２２】
これの代替として、各洗濯品が次々と通過するいくつかの連続したアイロナボディを有する装置の場合において、より大きなエネルギー密度を有する蒸気、特に生蒸気によって第１のアイロナボディを完全に加熱すること、及び凝縮分離器及び／又は膨張装置を通して走行した後にエネルギーの一部が除去される蒸気によって後続のアイロナボディを加熱することが考えられる。結果として、後続のアイロナボディは、先行するアイロナボディの加熱に既に用いられた蒸気によって加熱される。
【００２３】
冒頭に挙げた目的を達成するための更なる装置は、請求項１６の特徴を含んでいる。この関連において、これら特徴は上述の装置の好ましい更なる発展でもあり得る。請求項１６による装置の場合には、始点がアイロナバンドから離れて保持され、始点の反対側に配置されたその後部自由端がアイロナ隙間へ延びる供給補助具をアイロナ隙間への各洗濯品の少なくとも１つの導入範囲と連係させるようになっている。したがって、供給補助具は、サンドイッチコンベヤのタイプが２つの平行な走行部で形成されるように導入範囲におけるアイロナバンドに重なる。各洗濯品は、前記走行部の間すなわちアイロナバンドと供給補助具の間でしわがないように導入範囲へ搬送される。
【００２４】
好ましい形態においては、各供給補助具は、ソフトで柔軟な材料ストリップ又は柔軟な材料ウェブとして構成されている。良好なスライド特性を有する材料ストリップ又は材料ウェブが好ましい。したがって、洗濯品が導入範囲へ導入されると、洗濯品は、駆動されこれに導入されるアイロナバンドと導入範囲に配置され固定された供給補助具の間に沿って移動し得る。その結果、洗濯品は、信頼性をもってアイロナ隙間へ搬送される。
【００２５】
装置の好ましい発展オプションは、アイロナバンドの上方の小さなスペースにおいて固定式に、導入範囲の直前に配置された前端部、特に材料ストリップ又は柔軟でソフトな材料ウェブの前方の横方向エッジの固定を提供する。アイロナバンドと材料ストリップ又は材料ウェブとの間に包囲された洗濯品を導入範囲及びアイロナ隙間の始点へ供給するための供給漏斗部のタイプが結果として形成される。このようにして、しわのない形態で案内される洗濯品がアイロナバンドによってアイロナ隙間の始点まで巻き込まれ得るサンドイッチのタイプが形成される。
【００２６】
冒頭に挙げた目的を達成するための更なる装置は、請求項２０の特徴を含んでいる。これに関連して、これは、上述の装置の好ましい更なる発展であり得る。請求項２０による装置の場合には、アイロンがけされた洗濯品のための少なくとも１つの排出が前記アイロナボディ又は前記各アイロナボディの導出範囲と、連係されたアイロナ隙間とに連係されることが設定されている。アイロナボディ及びアイロナバンドがアイロナ隙間から離れるときに、各排出補助具は、アイロンがけされた洗濯品をアイロナボディ及び／又はアイロナバンドから排出又は分離する目的に役立つものである。しかし、各排出補助具も、アイロンがけされた洗濯品を信頼性をもって、とりわけしわがないように導出範囲又はつづくアイロナボディの導入範囲へ接続する除去コンベヤへ向ける目的のために役立つものである。排出補助具も、上述の供給補助具と同様に柔軟な材料ストリップによって形成されることが可能である。１つ又は複数の排出補助具を薄壁状の材料ストリップ、好ましくは柔軟な金属ストリップで構成することも考えられる。好ましい形態においては、材料ストリップ又は金属ストリップは、アイロナ隙間の端部において、好ましくは固定された、すなわち非回転に駆動されるアイロナボディにおける前部の横方向エッジに固定されるべきである。結果として、導出範囲において、それぞれアイロンがけされた洗濯品が、信頼性をもって及びしわなしに材料ストリップ又は金属ストリップの影響の下で導出範囲から搬出されることが可能である。
【００２７】
排出補助具は、洗濯品の一方側又は一方の表面にのみ連係することが可能である。しかし、好ましくは、いずれの場合にも、洗濯品の反対側に位置する両側又は両表面は、これに連係された排出補助具を有している。そして、排出補助具によって両側で案内された洗濯品は、導出範囲から離れるように向けられるとともに、所定の位置において後続のコンベヤへ向けられる。
【００２８】
好ましくは、少なくとも１つの排出手段がアイロナバンドと接触する洗濯品の一方側又は表面、好ましくは底面に連係するようになっている。そして、洗濯品は、前記搬出手段によって、又は前記搬出手段において、後続のコンベヤへ向けられることができ、及び／又は後続のコンベヤへ搬送されることができる。前記排出手段は、様々な方法で実現されることが可能である。例えば、洗濯品の底側に連係された排出手段は、アイロンがけされた洗濯品を機械的に案内するためのスクレーパ若しくはバッフルプレートであり得るか、又は洗濯品を空圧式に導出範囲から排出するための好ましくはいくつかのエアノズルによって形成され得る。洗濯品の底面と連係する排出手段が好ましくはいくつかのブラシ、特に連続して配置された回転ブラシで形成されることも考えられる。ブラシのみならず他の考えられる排出手段は、とりわけ、洗濯品が排出手段によって後続のコンベヤへ向けられ、及び／又はそこへの途中で搬送され若しくは案内される前に、底面を有するアイロナバンドに当接するアイロンがけされた洗濯品を導出範囲におけるアイロナバンドから取り外し、又は分離するために役立つものである。
【００２９】
装置の有利な発展オプションによれば、供給補助具及び排出補助具の両方の洗濯品に接触する材料ストリップ又は材料ウェブの少なくとも表面は、良好なスライド特性を備えており、及び／又は例えばテフロン（商標）で形成されたコーティングの結果として非付着性に実現されている。結果として、好ましくは材料ストリップ又は材料ウェブ同時に巻き込まれないものの、アイロナバンドによって巻き込まれる洗濯品が材料ウェブ又は材料ストリップの下方及び／又は上方でアイロナ隙間へ供給されるか、又はアイロナ隙間から搬出される場合に、洗濯品は、該洗濯品に接触する材料ウェブ又は材料ストリップの表面に沿って大きな抵抗なくスライドすることが可能である。
【００３０】
好ましい形態においては、さらに、洗濯品と接触する、少なくとも１つのアイロナボディ又はアイロナローラの外側面、特に押圧面が非付着性の特性を備えるようになっている。好ましい形態においては、アイロナボディ又はアイロナローラの押圧面は平滑に実現されており、その結果、押圧面ができる限り小さな摩擦係数を有している。好ましくは、各アイロナボディ又は各アイロナローラの外側面は、例えばテフロン（商標）、セラミック又はクロムプレートのような良好なスライド特性を備えたプラスチック材料で形成された耐摩耗性で非付着性のコーティングを備えている。逆に、前記アイロナバンド又は各アイロナバンドは、洗濯品と接触する少なくともアイロナバンドの一方側が例えば粗いか若しくは粗化されること及び／又は表面に付着性の特性を有することで付着特性を備えるように発展される。これにより、洗濯品が信頼性をもって周方向に駆動されるアイロナバンドによって巻き込まれ、また最小の抵抗を有するアイロナボディ又はアイロナローラの押圧面に沿ってスライド可能であることが保証される。
【００３１】
以下に、本発明の好ましい例示的な実施例が図面によって詳細に説明される。
【図面の簡単な説明】
【００３２】
【図１】バンドアイロナとして実現されている、洗濯品をアイロンがけするための装置の概略的な側面図である。
【図２】図１の細部ＩＩの拡大図である。
【図３】代替的で例示的な実施例についての図２の詳細を示す図である。
【図４】代替的で例示的な更なる実施例についての図２の詳細を示す図である。
【図５】中央に水平に切断されたブラシリングを有する投入コンベアの案内ドラムの左側を示す図である。
【図６】バンドアイロナとして実現されている装置の第２の例示的な実施例の概略的な側面図である。
【図７】図６の細部ＩＶを示す図である。
【図８】図６及び図７のバンドアイロナの蒸気配管図である。
【図９】バンドアイロナとして実現されている装置の第３の例示的な実施例の概略的な側面図である。
【図１０】アイロナバンドへの結合部の第１の発展オプションの側面図である。
【図１１】アイロナバンドへの結合部の第２の発展オプションの側面図である。
【発明を実施するための形態】
【００３３】
各図は、洗濯品１１をしわ伸ばしするためのバンドアイロナとして実現された様々な装置が示されており、そのうちの１つが図２〜図４に示されている。バンドアイロナは、工業用の洗濯場において用いられることができるが、家庭用の分野においても用いられることが可能である。洗濯用品１１は、平坦な品目、例えばテーブルリネン又はベッドリネンでも、またガーメント、例えば衣類でもあり得る。
【００３４】
図１及び図２に示されたバンドアイロナ１０は、１つの閉鎖されたアイロナボディを備えている。このアイロナボディは、円筒状のアイロナローラ１２として実現されている。アイロナボディ１２の円筒状の外側面１３は、押圧面を形成している。前記例示的な実施例のアイロナローラ１２は、永続的に、又は少なくとも必要な場合に回転駆動可能である。そして、アイロナローラ１２は、中心の長手中心軸線１４周りに回転する。
【００３５】
図示されたアイロナローラ１２の壁面１３は、二重壁状に実現されている。外壁は外側シリンダによって形成されており、外壁の外側の表面には、押圧面が位置している。より小さな直径を有する内側シリンダは、アイロナローラ１２の第２の壁を形成している。したがって、外側シリンダとより小さな内側シリンダとの間では、アイロナローラ１２においてリング状のキャビティ１５が周設されており、これを通して熱搬送媒体、図示の例示的な実施例においては、好ましくは外側面１３したがって押圧面を加熱する熱媒油が流れる。しかしながら、周設されたキャビティ１５の代わりに熱搬送媒体のためのいくつかの流路がアイロナローラ１２の内部に配置されることも可能である。例えば、このような流路は、いわゆるクッションプレートといわれるものによって形成されることができる。この場合、これら流路は、輪郭が描かれた内側メタルシートによって規定された円筒状の外側面１３の内面に位置している。熱媒油は、アイロナローラ１２の内部において示された例示的な実施例において配置された熱ヒータ１６によって加熱されることができる。
【００３６】
追加して示されたバンドアイロナ１０は、好ましくはアイロナローラ１２の全幅にわたって延びる無端のアイロナバンド１７を有している。アイロナバンド１７は、アイロナローラ１２の外側に関連されている。この場合、アイロナバンド１７は、アイロナローラ１２の外側面１３の外周の大部分の周りで、好ましくは２５０〜３５０°において案内される。結果として、押圧面として機能するアイロナローラ１２の外側面１３の大部分は、無端のアイロナバンド１７によって包囲されている。
【００３７】
個々で示されているバンドアイロナ１０の場合におけるアイロナバンド１７は、５つの案内ドラム１８，１９，２０によって案内される。例えばアイロナローラ１２の最上部の近傍の１つの案内ドラム２０は、バンドアイロナ１０の導入範囲２１を形成している。導入範囲２１における案内ドラム２０からわずかな間隔をもって配置された第２の案内ドラム２０は、バンドアイロナ１０の導出範囲２２を形成している。前記第２の案内ドラム２０は、導入範囲２１における案内ドラム２０よりもわずかに低く配置されている。導入範囲２１及び導出範囲２２における２つの隣接した平行な案内ドラム２０により、これらの間に狭い隙間２３が形成されている。両案内ドラム２０は、好ましくは駆動されるか、又は駆動可能である。同期動作は、駆動を行うための電気モータの周波数インバータ回路によってなされる。案内ドラム１８，１９は駆動されない。すなわち、これらは、その長手中心軸線周りに自由に回転可能である。案内ドラム１８，２０が固定式に配置されている一方、案内ドラム１９は、例えば押圧シリンダ２４によってその長手中心すなわち回転軸の平行な変位が案内ドラム１９の反対側に位置する端部において可能であるように可動となっている。結果として、無端のアイロナバンド１７は緊張可能である。
【００３８】
３つの案内ドラム１８，１９は、四角形の３つのコーナ範囲に配置されている。逆に、対をなすようにグループ化された２つの案内ドラム２０は、四角形の第４のコーナの近傍に配置されているが、これら案内ドラムは、これら案内ドラム２０の間に形成された隙間２３により四角形を閉鎖するものではない。
【００３９】
アイロナバンド１７の長さは、一方では、導入範囲２１における案内ドラム２０から導出範囲２２における案内ドラム２０まで、外側からアイロナローラ１２を約２５０〜３５０°だけ包囲し、他方では、アイロナローラ１２の外側におけるほぼ四角形の軌道周りに走行ように寸法設定されている。現時点で洗濯品１１と接触していないアイロナバンド１７の空走過程又は返走過程は、前記四角形状の軌道に沿って前記アイロナローラ１２と接触することなく移動する過程である。アイロナローラ１２の大部分を包囲するアイロナバンド１７の他の部分は、押圧面として機能するアイロナローラ１２の外側面１３に沿った巻き込みによって各洗濯品と、押圧面にそってスライドする洗濯品１１を搬送する動作走行過程によって形成されている。各場合にアイロンがけされるべき洗濯品１１は、この場合、アイロナバンド１７とアイロナローラ１２の外側面１３の間のアイロナ隙間２５に位置している。
【００４０】
ほぼ四角形に沿って案内されるアイロナバンド１７の空走過程は、バンドアイロナ１０のボックス状のハウジングによって外側で包囲されている。吸込みファン２７を有する吸込管は、ハウジング２６から外へ案内されている。その結果、高温の排気は、バンドアイロナ１０の内部から吸い込まれることが可能である。適用可能であれば、排気は、例えば熱交換器によりこれからエネルギーを除去することで準備されることができ、このエネルギーは、特に洗濯場における他の場所で再利用されることができる。
【００４１】
特定の方法においては、回転装置は、アイロナローラ１２上で実現されているとともに、好ましくは周囲のアイロナバンド１７のための駆動に適合されている。少なくともアイロナローラ１２の駆動の回転速度は、好ましくは無段階に調整可能である。必要であれば、前記駆動は、アイロナローラ１２が回転駆動されないように完全に停止されることも可能である。アイロナローラ１２を一定の回転速度で駆動することや、アイロナバンド１７の周速が調整可能であるよう好ましくは無段階にアイロナバンド１７の駆動を調整することも考えられる。アイロナローラ１２の回転速度及びアイロナバンド１７の周速の両者を調整することも可能である。したがって、アイロナローラ１２又はアイロナバンド１７のうち少なくとも１つの駆動が、好ましくは無限に変更可能な回転速度を有する調整駆動として実現されている。適用可能であれば、２つの駆動は、調整駆動として実現されることも可能である。
【００４２】
本発明による方法は、アイロナローラ１２の回転速度及び／又はアイロナバンド１７の周速の調整によって実現されている。
【００４３】
したがって、これら速度は、アイロナローラ１２の異なる周速とアイロナバンド１７の異なる周速の結果により生じるスリップが調整可能であり、すなわち増加又は低減されるよう調整可能である。例えば、アイロナローラ１２の周速がアイロナバンド１７の周速に比して速い場所で生じるスリップは、アイロナローラ１２の周速を減速することで低減される。アイロナバンド１７の周速がアイロナローラ１２の周速に対して速い場所では、アイロナローラ１２の周速を増速することでスリップが低減される。この過程は、アイロナローラ１２が一定の回転速度で駆動される、かつ、その代わりにアイロナバンド１７の周速が調整される場合にも同じである。より速く走行するアイロナバンド１７により、アイロナバンド１７の周速を低減することでスリップが低減される。アイロナローラ１２の回転速度とアイロナバンド１７の周速の両者が調整可能であれば、スリップは、アイロナローラ１２の回転速度及び／又はアイロナバンド１７の周速を調整することで低減又は増大される。前述の全ての場合においては、必要であれば、アイロナローラの周速とアイロナバンド１７の周速を同期させることでスリップを完全になくすことが可能である。
【００４４】
アイロナローラ１２の押圧面に対する洗濯品１１のスリップを調整し、又はなくすことで、アイロナローラ１２の押圧面に沿ったスリップ及びこれに伴う洗濯製品１１の仕上げによって、スライドする洗濯品１１の表面は、必要に応じて調整され得る。スリップが生じない場合には、同一の面状態及びこれに伴う同一の仕上げ又は完全に仕上げがないことは、洗濯品１１がしわ伸ばし時に両側において設定される。逆に、スリップが存在する場合には、押圧面に沿ってスライドする洗濯品１１の表面が仕上げを受ける。これは、アイロナローラ１２又はその押圧面とアイロナバンドの間の速度差を対応して調整することによりスリップを増大又は減少させることで調整可能である。
【００４５】
アイロナバンド１７は、アイロナ隙間２５によるアイロンがけ方向２８に洗濯品１１を搬送するように、洗濯品１１の信頼性のある、ポジティブでない巻き込み、特に摩擦による巻き込みのために実現されている。このために、洗濯品１１に当接するアイロナバンドの少なくとも１つの側は、付着性の特性を備え、好ましくは構造化された及び／又は粗い表面を備えている。逆に、押圧面として機能するアイロナローラ１２の外側面１３は、洗濯品１１が通常の場合に洗濯品１１とアイロナローラ１２の外側面１３の間に存在するスリップにより押圧面にそって容易にスライドできるように、付着性を持たないように実現されている。好ましくは、このような平滑で付着性を有さない押圧面は、アイロナローラ１２の外側面１３における外側コーティングによって形成される。このコーティングは、テフロン（商標）若しくは良好なスライド特性を有する他のプラスチック材料、セラミック又はクロムプレートで構成されることが可能である。このようなコーティングは、高いレベルの耐摩耗性において傑出しているとともに、押圧面におけるスリップによりアイロナローラ１２に当接する洗濯品１１の側での仕上げが成形されるように非常に平滑である。平滑な押圧面の付着性のない特性の結果として、その他の場合にはアイロンがけ中に必要となる押圧面における増大は必要とされない。
【００４６】
図示の実施例においては、各洗濯品１１は、アイロナローラ１２にわたって走行するアイロナバンド１７の空走において投入機械２９の供給コンベヤ３０によってバンドアイロナ１０の導入範囲２１の手前に置かれる。導出範囲２２からは、アイロンがけされた洗濯品１１が、例えば折りたたみ機の投入コンベヤ３１へ進み、その上で別の場所へ搬送される。
【００４７】
導入範囲２１において洗濯品１１がアイロナ隙間２５へねじれなく及び／又は折り目なく進むように、外側からの搬送補助具が導入範囲２１においてアイロナバンド１７と連係している。図示の例示的な実施例では、搬送補助具は、（アイロナローラ１２の押圧面に類似した）良好なスライド特性を有するソフトでしなやかな材料ストリップ３３として実現されている。アイロンがけ方向２８又はアイロナバンド１７の周方向に見れば、前記材料ストリップ３３は、導入範囲２１における案内ドラム２０の前方の横方向エッジを有する固定された保持バー３４に固定されている。保持バー３４は、搬送コンベヤ３０によってアイロナバンド１７上に配置された洗濯品１１のための導入漏斗を形成するためにアイロナバンド１７のやや上方に配置されている。材料ストリップ３３は、保持バー３４から案内ドラム２０の周囲のほぼ半分だけアイロナ隙間２５まで延びている。材料ストリップ３３の後方の横方向エッジ３５は、アイロナ隙間２５の初期範囲における案内ドラム２０の直後で終わっている（図２）。少なくとも表面において平滑な、例えばテフロン（商標）で形成された薄いウェブ又はフィルムで形成された材料ストリップ３３は、導入範囲２１に位置する洗濯品１１がない限り、アイロンがけ方向２８に同期されており、アイロナバンドの付着性の特性により、及びこの場合には導入範囲２１における外側からアイロナバンドへ付着する。バンドアイロナ１０内へ投入されるべき洗濯品１１がその先端の前側エッジ３６と共に材料ストリップ３３とアイロナバンド１７の間の漏斗状の導入隙間へ進む。これにつづき、アイロナバンド１７へ付着する材料ストリップ３３により、洗濯品１１が、導入範囲２１へ近づき続けるように、サンドイッチ状に材料ストリップ３３とアイロナバンド１７の間で包囲されるとともに、アイロナバンド１７によって同期されて導入範囲２１におけるアイロナ隙間２５へ供給される。材料ストリップ３３がアイロナ隙間２５の初期位置において終わっているため、ここでは、材料ストリップ３３による洗濯品の重なりは、アイロナ隙間２５を進むにつれて洗濯品１１がアイロナバンド１７とアイロナローラ１２の外側面１３によって形成された押圧面との間を通過する（図２）。
【００４８】
例示的な本実施例では、バンドアイロナ１０の導出範囲２２は、排出手段と連係する。これも材料ストリップ３７で形成されている。この排出手段は、必ずしも薄い金属ストリップすなわち排出プレートが材料ストリップ３７の代わりに備えられ得るように必ずしも柔軟である必要はない。
【００４９】
排出補助具を形成する材料ストリップ３７はその横方向エッジ８３に固定して接続されており、この横方向エッジは、アイロナローラ１２の長手中心軸線に対して、又はアイロナローラ１２の外側面に対して、又は他のアイロナボディに対して平行に延在している。結果として、前記排出手段は、固定されたアイロナローラ１２又は他の固定されたアイロナボディを備えたバンドアイロナにのみ適したものである。横方向エッジ８３から材料ストリップ３７がアイロナバンド１７の一部にわたって延在しており、このアイロナバンドは、導出範囲２２から離れる洗濯品１１がアイロナローラ１２の外側面から離れて導出範囲２２に直接接続するコンベヤまで、好ましくはアイロンがけされた洗濯品１１を更に折りたたみ機３２へ搬送するための図示の例示的な実施例において備えられた投入コンベヤ３１までアイロナバンド１７と材料ストリップ３７の間を通って導出範囲２２において案内されるように、案内ドラム２０の周りで案内されている。図示の例示的な実施例の場合には、材料ストリップ３７が案内ドラム２０に隣接して配置された投入コンベヤ３１の案内ドラム８４まで延在しているだけである。適用可能であれば、この案内ドラム８４も駆動されることが可能である。
【００５０】
図２における例示的な実施例では、導出範囲２２における案内ドラム２０と投入コンベヤ３１の近接して後続する案内ドラム８４の間の短いスペース８５が更なる排出補助具によって橋渡しされている。前記排出補助具は、図２における例示的な実施例においてはバッフルプレート８６として形成されている。案内ドラム２０及び８４の間で固定して配置されたバッフルプレート８６の端部は、案内ドラム２０及び８４の前方にできる限り近接して終わっている。バッフルプレート８６は、洗濯品１１が導出範囲２２におけるアイロナバンド１７からバッフルプレート８６の先端における案内ドラム２０に近接して配置された端部から排出されるようにアイロナバンド１７に接触する洗濯品１１の底面と連係している。そして、洗濯品１１は、バッフルプレート８６に沿って案内ドラム８４へ案内され、そこで投入コンベヤ３１の頂点走行部８７へ案内される。
【００５１】
アイロナバンド１７による巻き込みのために洗濯品１１がアイロナローラ１２の平滑な円筒壁への付着よりも強くアイロナバンドへ付着するため、バッフルプレート８６のみが１つの排出補助具として設けられるように本発明の代替的な実現を図れば洗濯品１１の露出した頂面に連係した材料ストリップ３７を省略することが可能である。これは、特に回転駆動可能なアイロナローラ１２を有するバンドアイロナ１０に当てはまり、アイロナローラに固定して接続されている材料ストリップ３７は、実現され得ない。
【００５２】
図３には、洗濯品１１の底面と連係した排出補助具についての代替的で例示的な実施例がバンドアイロナ１０の導出範囲２２において示されている。前記排出補助具は、洗濯品１１を導出範囲２２において空圧的にアイロナバンド１７から分離する。このために、図３の例示的な実施例においては、排出補助具は、好ましくはアイロンがけ方向２８に関して横方向へ延びる列で好ましくは互いに均等に間隔をあけて配置された好ましくはいくつかのエアノズル８９によって形成されている。好ましくは、エアノズル８９には、圧縮エアが供給される。しかしながら、１つ又はいくつかのエアノズル８９については、少なくとも１つのブロワによって、又は少なくとも１つのブロワからエアが供給されるように形成されることも考えられる。エアノズル８９のエアジェットは、アイロンがけ方向２８とは逆に、導出範囲２２におけるアイロナバンド１７を案内する案内ドラムの上側案内範囲へ拡散状に集中されるか又は方向付けされる。結果として、エアジェットは、洗濯品１１の搬送方向に対して向けられている。これにより、特に効果的な方法でアイロナバンドへ向けられるアイロナバンド１７の片側から分離又は切り離された洗濯品１１の底面が得られる。
【００５３】
エアノズル８９は、バンドアイロナ１０の導出範囲２２におけるアイロナバンド１７の案内ドラム２０とバンドアイロナ１０の案内ドラム２０の下流に接続された投入コンベヤ３１の案内ドラム８４との間のスペース８５に配置されている。結果として、洗濯品１１がアイロナバンド１７から引き離されていない場合には、エアクッションもエアノズル８９から出るエアによってスペース８５において形成され、前記エアクッションは、いわばスペース８５の範囲において各洗濯品１１を搬送し、結果として、アイロンがけされた洗濯品１１は、アイロナバンド１７から投入コンベヤ３１の頂点走行部８７への流れの移行を形成する。
【００５４】
図３に示された本発明の実施例の場合にも、導出範囲２２において、アイロナバンド１７に当接する洗濯品１１の底面と連携する空圧的な排出補助具のみが設けられるよう、好ましくはいくつかのエアノズル８９の列で形成されるように、洗濯品１１の外側の露出した側と連係した柔軟な材料ストリップ３７を省略することが可能である。
【００５５】
図４及び図５には、アイロナバンド１７と接触する洗濯品１１の底面と連係された排出補助具の更なる例示的な実施例が示されている。前記排出補助具は、機械的にブラシ９３を動作させる。バンドアイロナ１０の導出範囲２２では、ブラシ９３が、図示の例示的な実施例で折りたたみ機３２の投入コンベヤ３１である後続のコンベヤへの除去のために洗濯品１１がアイロナバンド１７から移動される点において、その外側でアイロナ隙間２５を通過した洗濯品１１を巻き込むアイロナバンド１７の底面と協働する。同時に、排出補助具のブラシ９３は洗濯品１１を搬送し、洗濯品は、その上に位置しているとともに導出範囲２２においてアイロナバンド１７から分離され、更に後続のコンベヤ、特に投入コンベヤ３１の頂点走行部８７上へ位置される。
【００５６】
図示の例示的な実施例では、ブラシ９３は、ブラシリングが外側へ向くように、いくつかの好ましくは同一に実現されたブラシリング９０と連係する。ブラシリング９０は、アイロナバンド１７の案内ドラム２０へ向けられた折りたたみ機３２の投入コンベヤ３１の案内ドラム８４と連係する。しかしながら、これらブラシリングも他のコンベヤの案内ドラム上に配置されることが可能である。
【００５７】
図５によれば、投入コンベヤ３１は、それぞれ間隔をあけて互いに隣接して配置されたいくつかの狭いベルト９１を含んでいる。全てのベルト９１は、好ましくは幅において同一となっている。例示的な実施例では、いずれの場合も投入コンベヤ３１の隣接する２つのベルト９１の間のスペースは、いずれにしても同一の寸法であるか、同一幅のベルト９１の幅よりもいくらか狭い。間隔をおいたベルト９１の結果として、いずれにしても連係されたブラシリング９０を有するスペース９２がいずれにしても２つのベルト９１の間に形成されている。各ブラシリング９０は、全てのブラシリング９０が案内ドラム８４によって回転駆動されることで案内ドラム８４と循環するように、非回転式に案内ドラム８４の外側の円筒状の側面に回転しないように結合されている。ブラシリング９０は、特にブラシ９３自体の長さについて、ブラシ９３がその自由端範囲で外側面と案内ドラム８４において案内される狭いベルト９１の頂点走行部８７とを越えて突出するように寸法設定されている。このようにして、ブラシリング９０のブラシ９３は、同時にベルト９１及び案内ドラム８４がアイロナバンド１７に接触することなく、底面、アイロナバンド１７に当接する洗濯品１１の片側及び案内ドラム２０の側面に接触することができる（図４）。
【００５８】
図６〜図８には、本発明の第２の例示的な実施例によるバンドアイロナ３８が示されている。前記バンドアイロナ３８は、バンドアイロナ１０と同様の原理で実現されている。したがって、同一の参照番号が同一の部材に用いられているとともに、バンドアイロナ１０の上述の説明が参照される。
【００５９】
バンドアイロナ３８とバンドアイロナ１０の間の本質的な差異は、アイロナローラ１２が回転駆動可能でなく、すなわち固定されていることにある。結果として、洗濯品１１と押圧面として機能するアイロナローラ１２の間のスリップが、洗濯品１１が循環式に駆動されるアイロナバンド１７によってアイロナ隙間２５を通って搬送されるときに生成される。前記スリップは、アイロナバンド１７の周速によってのみ調整可能である。アイロナバンド１７は、バンドアイロナ１０の場合と同様に実現されているとともに、案内ドラム１８，１９，２０と同様に案内される。アイロナバンド１７は洗濯品１１を巻き込むために付着性の特性を有している一方、バンドアイロナ１０の場合と同じように、アイロナローラ１２の外側面１３は平滑に、特に非付着性に実現されている。導入範囲２１及び導出範囲２２も、バンドアイロナ１０の場合と同様にバンドアイロナ３８においても同様に実現されている。特に、金属ストリップ３３，３７も、バンドアイロナ３８の場合にもアイロナ隙間２５の始点において信頼性をもった折り目のない形態で洗濯品１１を供給し、アイロナ隙間２５からアイロンがけされた洗濯品１１を除去するために導入範囲２１及び導出範囲２２に設けられている。
【００６０】
バンドアイロナ３８とバンドアイロナ１０の間の更なる差異は、アイロナローラ１２又はアイロナボディの周方向に連続してつづく２つのキャビティ３９，４０が、好ましくは固定されたアイロナローラ１２又は他のアイロナボディにおいて形成されており、これらキャビティを通して熱搬送媒体、蒸気が流れることが可能であることにある。各キャビティ３９，４０は、アイロナローラ１２の周囲の一部にわたって、したがって押圧面の一部にわたって延在する。結果として、キャビティ３９，４０は、アイロンがけ方向２８において次々につづくように配置されている。両キャビティ３９，４０は、共にアイロナローラ１２の全周若しくは少なくともほぼ全周又はその外側面にわたって延在している。キャビティ３９，４０は、幅において同一であり、したがって各場合においてアイロナローラ１２の前幅にわたって延在している。
【００６１】
アイロナローラ１２のキャビティ３９，４０は、二重壁を有するケーシングを実現することで形成されている。このために、アイロナローラ１２は、押圧面を有する外側面１３を形成するための外側円筒ケーシング４１と、同心の内側円筒ケーシング４２とを含んでいる。内側円筒ケーシング４２の外径は、外側円筒ケーシング４１の内径よりも小さく、その結果として、キャビティ３９，４０が円筒ケーシング４１，４２の間に形成されている。２つの同心状の円筒ケーシング４１，４２によって形成されている結果、キャビティ３９，４０は、（アイロナローラ１２の径方向に見て）アイロナローラ１２の全周にわたって同一の厚さを備えている。キャビティ３９，４０は、連続した径方向の仕切り壁４３，４４によって互いに分離されている。仕切り壁４３，４４は、様々な方法で、例えば、いずれにしてもアイロナローラ１２の周囲の一部にわたって延びる２つの部材の間の溶接継ぎ目の結果として形成されることができ、仕切り壁４３，４４は、アイロナローラ１２の長手中心軸線１４に対して平行に延びるその横方向エッジにおいて当該部材を結合するための前記溶接継ぎ目によって形成される。
【００６２】
キャビティ３９は、案内ドラム２０間の隙間２３、すなわち導入範囲２１の始点から出る。キャビティ３９は、アイロナローラ１２の周囲の半分より多くにわたって延在し、図示の例示的な実施例では約２２０〜２３０°にわたって延在している。逆に、より小さい、又はより短いキャビティ４０は、約１３０〜１４０°の残りの周囲にわたって延在している。これらキャビティ３９，４０は、アイロナローラ１２の最下点において仕切り壁４４から分離されているとともに、ここで互いに直接隣接する。キャビティ４０は、導出範囲２２において終わり、仕切り壁４３によってキャビティ３９から分離される。結果として、キャビティ３９，４０も導入範囲２１すなわち案内ドラム２０間の隙間２３において互いに直接隣接する。
【００６３】
キャビティ３９，４０が導入範囲２１又は導出範囲２２において互いに接触する点では、各キャビティ３９，４０は、いずれにしても蒸気の供給のために少なくとも１つの好ましくは横方向供給接続部４５，４６を含んでいる。キャビティ３９，４０がアイロナローラ１２の最下点において出会う点で、各キャビティ３９，４０は少なくとも１つの横方向導出接続部４７又は４８に連係している。
【００６４】
図８には、アイロナローラ１２への蒸気供給及び蒸気除去のための配管図の概略が示されている。キャビティ３９，４０を有するアイロナローラ１２、供給接続部４５，４６及び導出接続部４７，４８が象徴的に示されている。蒸気生成器から来る供給配管４９によって、蒸気生成器から来る生蒸気、特に飽和蒸気又は熱蒸気は、比較的長いキャビティ３９のほぼ最上点まで供給接続部４５によって案内されている。生蒸気がひとたびキャビティ３９を横切り、その際冷却されると、冷却された生蒸気は、排出配管５０を介して凝縮分離器５１へ向けられるとともにそこから更に凝縮フラッシュトラップ５２へ向けられている。流出配管５３は、凝縮フラッシュトラップ５２の底範囲から、更に凝縮分離器５４まで延びており、そこから排出配管５６を通してドレンまで延びている。
【００６５】
凝縮フラッシュトラップ５２では、第１のキャビティ３９から来る冷却された生蒸気が再蒸発される。技術的な専門用語においてフラッシュ蒸気とも呼ばれる膨張された蒸気がこの場合生成される。前記フラッシュ蒸気は、凝縮フラッシュトラップ５２の頂部から生じるとともに、ここでも供給配管５５によってアイロナローラ１２へ供給され、導出範囲２２における第２のキャビティ４０の始点において供給接続部４６へ供給される。第２のキャビティ４０の底端部では、冷却されたフラッシュ蒸気がアイロナローラ１２から導出接続部４８を通して生じる。前記冷却されたフラッシュ蒸気は、排出配管５８によって更なる凝縮フラッシュトラップ５７へ供給される。剰余の蒸気と共に適用可能であれば、凝縮物が、前記凝縮フラッシュトラップから排出配管５８を介してドレンへ延びる排出配管５６へ、又は直接ドレンへ導かれる。
【００６６】
図示の例示的な実施例では、生蒸気のための供給配管４９が、フラッシュ蒸気又はキャビティ４０への膨張された蒸気のための供給パイプ５５において分岐するバイパス配管５９と連係しているか、又はキャビティ４０の供給接続部４６へ直接案内されている。バイパス配管５９には、ストップバルブ、好ましくは減圧弁６０が存在し、これにより、必要であれば、バルブが図示の例示的な実施例において減圧弁６０として実現されている場合に（図８）、生蒸気が減圧された圧力でフラッシュ蒸気と混合される。
【００６７】
アイロンがけ方向２８において連続して配置されるキャビティ３９，４０により、バンドアイロナ３８の場合には、アイロナローラ１２の押圧面が可変のエネルギー容量を有する蒸気によって加熱される。導入範囲２１からの押圧面の範囲は、生蒸気、好ましくはより多くのエネルギーを含む飽和蒸気又は熱蒸気によって加熱される。これは、アイロナ隙間２５へ入る洗濯品１１がまだ湿っており、前記残っている湿気の少なくとも大部分の除去が洗濯品１１がほぼ乾燥しているアイロナ隙間２５の終端部範囲におけるよりもより大きなエネルギーを必要とするため、有利である。したがって、これは、押圧面の後部範囲と連係されたキャビティ４０において比較的小さなエネルギー、特に比較的小さなエネルギー密度を有する蒸気が押圧面を加熱するために用いられる場合には十分である。好ましくはつづく押圧パスの残りの部分よりも大きなエネルギー密度を有する蒸気によって加熱されるアイロナ隙間２５を通して洗濯品１１の押圧パスの初期部分によってキャビティ３９を離れる際に冷却され部分的に凝縮されている生蒸気における残りのエネルギーは、ひとたび凝縮物が除去され、膨張されると、後方のキャビティ４０へ向けられ、そこで押圧パスの後方部分において効果的に押圧面を加熱する生成された膨張した蒸気又はフラッシュ蒸気によってアイロナローラ１２を加熱するためにまだ用いられることが可能である。
【００６８】
バンドアイロナ１０又は３８を作動させるための装置は、アイロナローラ１２の内部、例えば凝縮熱交換器又はこれに類するものに設けられることが可能である。
【００６９】
好ましくは、キャビティ３９を横切る生蒸気は、１０ｂａｒを大きく超える圧力を備えている。逆に、キャビティ４０へ供給されるフラッシュ蒸気は、１０ｂａｒよりも小さな圧力を有している。
【００７０】
バンドアイロナ１０，３８は、各場合において１つのアイロナローラ１２によって示されている。このようなアイロナローラは、所望の性能及び意図されたバンドアイロナの使用に依存して、４００〜２０００ｍｍの直径を有することができる。バンドアイロナを２つ又は２つより多くの連続した、好ましくは同一のアイロナローラ１２で形成することも考えられる。これらアイロナローラは、好ましくは調整可能な回転速度でバンドアイロナ１０の場合のように周方向に駆動され得るか、又はバンドアイロナ３８の場合に一致して固定されることも可能である。このようなバンドアイロナの個々の連続したアイロナローラ１２の加熱は、バンドアイロナ１０及び３８についてちょうど同じようになされる。いくつかの連続したアイロナローラ１２を有するバンドアイロナの場合には、１つだけのキャビティ１５が蒸気の加熱のために各アイロナローラ１２において設けられることが設定され得る。そして、第１のアイロナローラ１２の押圧面全体は、生蒸気によって加熱され、これにより形成される膨張された蒸気、好ましくはフラッシュ蒸気が後続のアイロナローラ１２の押圧面を加熱するために用いられる。いくつかの連続したアイロナローラを有するバンドアイロナの場合におけるバンドアイロナ導入範囲２１及び導出範囲２２もバンドアイロナ１０，３８に対するものとちょうど同じ方法で実現され得る。
【００７１】
最後に、他のアイロナボディ、例えば長円形、だ円形又はこれに類似した断面、適用可能であれば非対称の断面を有するアイロナボディのような非回転式のアイロナボディを有する少なくとも１つの固定されたアイロナローラ１２を代わりに有するバンドアイロナ３８を設けることも考えられる。
【００７２】
図９には、バンドアイロナ６１の更なる例示的な実施例が示されている。前記バンドアイロナ６１のアイロンがけ原理は、バンドアイロナ３８の場合のアイロンがけ原理と同じか、又は少なくとも類似している。バンドアイロナ６１は、アイロンがけ方向２８へ互いに連続する凹状のアイロナボディ６２，６３を有している。アイロナボディ６２，６３は、半円状に湾曲され、図示の例示的な実施例においてはほぼ同じサイズである２つのシェルとして実現されている。好ましくは、各アイロナボディ６２，６３の半径は２００〜１５００ｍｍである。アイロナボディ６２，６３は、バンドアイロナ６１の構成において固定して配置されることでバンドアイロナ３８の場合のアイロナローラ１２のように固定されている。
【００７３】
２つの連続するアイロナボディ６２，６３は、１つの連続した、各アイロナボディ６２，６３の全幅にわたって無端のアイロナバンド６４と連係している。アイロナバンド６４は、前述のバンドアイロナ１０，３８の場合と同様に周方向に駆動可能である。この場合、無端のアイロナバンド６４は、アイロンがけ方向２８において各洗濯品１１を巻き込む。このことは、前記バンドアイロナ６１の場合にも、他の形態で粗くされ、付着性とされる洗濯品１１と接触するアイロナバンド１４の片側又は表面によって、洗濯品１１へ向けられるアイロナバンド６４の付着性の外側面によって達成される。それぞれ半円状のアイロナボディ６２，６３のアイロナ隙間２５を通して洗濯品１１を搬送するアイロナバンド６４の上部走行部は、下側へ向けられつつ凹凸状に延在する両アイロナボディ５２，５３の外側面と連係している。アイロナバンド６４は、第１のアイロナボディ６２の半円状の底面の下方で次々と沿って走行し、これにつづく第２のアイロナボディ６３の半円状の底面の下方で各洗濯品１１を巻き込む。２つの連続する半円状のアイロナ隙間６５は、このようにアイロナバンド６４とそれぞれのアイロナボディ６２，６３の間に形成されている。アイロナバンド６４の空の底走行は、２つのアイロナボディ６２，６３によって二重の半円状に形成されたアイロナバンド６４の頂部走行部の下方を戻る。
【００７４】
バンドアイロナ６１の導入範囲６６は、第１のアイロナボディ６２の前方の横方向エッジに配置されており、アイロンがけ方向２８に見れば、それぞれの洗濯品１１が第１のアイロナボディ６２のアイロナ隙間６５へ入る。導出範囲６７は、第１のアイロナボディ６２の端部に配置されている。第２の半円状のアイロナボディ６３のための導入範囲６８は、この後方の小さなスペースに形成されている。アイロンがけされた洗濯品１１が最後のアイロナボディ６３を離れ、つづいてバンドアイロナ６１が例えば折りたたみ機３２の投入コンベヤ３１へ供給される導出範囲６９は、第２のアイロナボディ６３の端部に形成されている。
【００７５】
両アイロナボディ６２，６３の導入範囲６６，６８及び両アイロナボディ６２，６３の導出範囲６７，６９は、図９では不図示の材料ストリップ３３又は３７と連係することが可能である。これら材料ストリップは、バンドアイロナ１０，３８の場合とちょうど同じように配置及び実現されている。第１のアイロナボディ６２の導出範囲６７及び第２のアイロナボディ６３の導入範囲６８における材料ストリップは、第１のアイロナボディ６２からこれにつづく第２のアイロナボディ６３へ信頼性をもって洗濯品１１を方向付ける。
【００７６】
バンドアイロナ６１の単一のアイロナバンド６４は、図示の例示的な実施例において、３つの頂部案内ドラム７０及び２つの底部案内ドラム７１の周囲で案内アされている。案内ドラム７０又は７１のうち少なくとも１つ、好ましくは第１の又は最後の頂部案内ドラム７０が回転駆動可能である。しかし、第１の頂部案内ドラム及び最後の頂部案内ドラム７０を同期して回転態様で駆動することも考えられ、同期動作は周波数インバータ回路（不図示）によって生成される。２つの底部案内ドラム７１及び好ましくは更に中間頂部案内ドラム７０は、駆動されず、したがって自由に回転可能である。底部案内ドラム７１のうち１つは、横方向に変位可能であり、結果としてアイロナバンド６４のための緊張装置として機能することが可能である。
【００７７】
同様に実現される、バンドアイロナ６１の半円状のアイロナボディ６２，６３のそれぞれは、中空状に実現されているとともに、離間した２つの半円状のプレートの間に半円状のキャビティ７４を有している。各アイロナボディ６２，６３の外側プレート７２は半円状の押圧面を形成し、この押圧面に沿って、周方向に駆動されるアイロナバンド６４によって巻き込まれる洗濯品１１がスライド式に移動可能である。この目的のために、各洗濯品１１に接触する各アイロナボディ６２，６３の外側プレート７２の押圧面が、上述の例示的な実施例のアイロナボディ１２の外側面１３の場合と同じように形成され得る耐摩耗性の非付着性のコーティングを備えている。各アイロナボディ６２，６３のキャビティ７４は、熱媒体、例えば熱媒油又は蒸気が横切ることができ、この結果、各アイロナボディ６２，６３、特に外側プレート７２によって形成される押圧面が加熱される。
【００７８】
バンドアイロナ３８のように、バンドアイロナ６１が蒸気で加熱される限り、蒸気、生蒸気すなわち熱蒸気又は飽和蒸気は、第１のアイロナボディ６２のキャビティ７４を通して方向付けられることが可能である。第１のアイロナボディ６２を離れる冷却された生蒸気は、好ましくは凝縮分離及び膨張の準備の後、当該キャビティ、とりわけ押圧面を形成する外側プレート７２を加熱するために第２のアイロナボディ６２におけるキャビティ７２へ膨張された蒸気又はフラッシュ蒸気として供給される。生蒸気及び膨張したフラッシュ蒸気の供給は、好ましくは各アイロナボディ６２，６３の頂部横方向エッジにおいて行われる。冷却された生蒸気及びフラッシュ蒸気の除去は、各半円状のアイロナボディ６２，６３の最下位置において、すなわち中央部において行われる。蒸気の案内及び準備は、バンドアイロナ３８に関連した図８に示されたものと全く同様に行われることができる。関連する説明を参照されたい。
【００７９】
バンドアイロナ３８の場合と同様に半円状の各アイロナボディ６２，６３における連続する２つのキャビティを形成することも考えられ、これらキャビティには異なるエネルギー密度を有する蒸気、各場合において、各アイロナボディ６２，６３の押圧面の一部を加熱するために好ましくは一方では生蒸気、他方ではフラッシュ蒸気が供給される。
【００８０】
アイロナハンド１７，６４は、少なくとも洗濯品１１と接触する側において構造化される態様で実現されている。したがって、前記側は、周方向に駆動されるアイロナバンド１７，６４によってスリップしない態様で巻き込まれるべき洗濯品１１のための付着面及び／又は摩擦面を形成し、洗濯品１１はアイロナローラ１２又はアイロナボディ６２，６３の平滑な押圧面に沿ってスライドするか、又はアイロナボディ６２，６３と洗濯品１１の間でスリップが生じさせられる。
【００８１】
洗濯品１１と接触するアイロナバンド１７，６４の両側の構造化は、様々な方法で行われ得る。好ましくは、洗濯品１１と接触するアイロナバンド１７，６４の少なくとも表面が粗く又は粗化されて実現されるように設定される。粗さ又は粗化は、洗濯品と接触する側の摩擦係数が巻き込まれるべき洗濯品１１の摩擦係数よりも大きくなるように行われる。結果として、これらが固定されたアイロナボディ又はアイロナバンド１７，６４の周速とは異なる速度で駆動されるアイロナボディの平滑な押圧面に沿って搬送される場合に、各アイロナバンド１７，６４と洗濯品１１の間にスリップが生じない。
【００８２】
アイロナバンド１７，６４は、単層によっても、また複層によっても実現されることが可能である。複層のアイロナバンド１７，６４の場合には、洗濯品１１と接触する層が付着性の層又は摩擦層として実現されている。
【００８３】
各アイロナバンド１７，６４の少なくとも付着層又は摩擦層は、フェルト、好ましくは粗く構造化されたフェルト又はニードルフェルトで形成されている。好ましくは、フェルト又はニードルフェルトは、耐熱性又は高温耐性の材料で構成されている。例えば、これらは、合成繊維、例えばアラミド、グラスファイバ、カーボンファイバ又はこれらファイバの混合物であり得る。良好な熱耐性を有するか又は対応する態様で処理された天然繊維で少なくとも一部において付着層又は摩擦層を形成することも考えられる。
【００８４】
アイロナバンド１７，６４は、大きな引張強さを有する１つの層を含むか、又は引張強さを増大させる補強部を含む。しかし、補強部を有するアイロナバンド１７，６４を設けることも考えられる。補強部は、少なくとも長手方向の補剛部であるが、適用可能であれば、これ（これら）と交差する横方向の補剛部でもある。例えば大きな引張強さの連続したファイバ又はストランドで形成された前記補剛部は、好ましくはアイロナバンド１７，６４の材料内に埋設される。
【００８５】
図１０及び図１１には、アイロナバンド１７，６４を無端に形成するための代替的なオプションが図示されている。これらオプションを、アイロナバンド１７を用いて以下に説明する。
【００８６】
図１０における例示的な実施例の場合には、アイロナバンド１７の２つの端部の狭い端部範囲が継ぎ合わせによって接続されており、結果として、アイロナバンド１７が面一状に無端に形成される。この目的のために、アイロナバンド１７の２つの端部７６，７７は、１つの側で面取りされ、すなわちいわば一点に収束する。結果として、側方から見れば、端部７６，７７は同様に三角形の形状となっている。面取りは、斜面側と面取りされていない側の間の挟まれた鋭角が継ぎ合わせ部７５の範囲において約１０〜１５°の角度をなすように行われる。結果として、面取りは、アイロナバンド１７の厚さによるが約３〜５回行われる。アイロナバンド１７の面取りされた端部７６，７７が互いに接続されると、継ぎ合わせ部７５の範囲において面一の接続部及び／又はシームレスの接続部が存在する。逆向きに配置され面取りされたアイロナバンド１７の端部７６，７７は、図１０において横の刺入線７８によって象徴的に示された刺入によって継ぎ合わせ部７５の範囲において接続される。実際、通常の継ぎ合わせ（レギュラー）ではなく、互いにより近接しているか、又は互いに更に離間していてもよい。刺入に加えて、２つの端部７６，７７の面取りされた面は、接着されることができる。少なくとも部分的にニードルフェルト又は他のこのようなフェルトで形成されたアイロナバンド１７に特に適した刺入の後、継ぎ合わせ部７５に位置するアイロナバンド１７の端部７６，７７の接続が、継ぎ合わせ部７５の外側において少なくともアイロナバンド１７と同様に永続的となっている。さらに、継ぎ合わせ部７５の範囲におけるアイロナバンド１７の端部７６，７７の間の接続が残りのアイロナバンド１７におけるよりも厚くないようになっている。図１０に記載され、示されるようにアイロナバンド１７を無端に形成することによって、シームレスで、ほぼ視認不可能な非常に永続的な接続が形成される。
【００８７】
図１１には、アイロナバンド１７を無端に形成するための代替的で例示的な実施例が示されている。ここで、アイロナバンド１７の２つの端部範囲７９，８０は、１つが他の上に重ねられているとともに、重複範囲で互いに接続されている。この接続も、端部範囲７９，８０の表面に対して周方向になされる刺入によってなされ、適用可能であれば、結果として、端部範囲７９，８０において重なり合うアイロナバンド１７の表面が追加的に接着される。重複範囲８１への移行を平坦にするか、又は平滑にするために、端部範囲７９，８０の頂部コーナ又は底部コーナが面取り部８２を備えている。
【００８８】
重複範囲８１は、図１１においてアイロナバンド１７の厚さのほぼ２倍で示されている。しかし、実際には、端部範囲７９，８０は、刺入の結果として、刺入後に重複範囲８１での接続がアイロナバンド１７の厚さの２倍よりも薄くなるように、ほぼシームレスの接続部が無端に形成されたアイロナバンド１７の端部間で形成されるように、互いに押圧される。
【００８９】
個々のバンドアイロナに関する上述の特徴を、互いに任意に組み合わせることが可能である。したがって、バンドアイロナの所定の例示的な実施例の特徴は、バンドアイロナの他の例示的な実施例にも適用可能であるか、１つ又は個々のバンドアイロナに関連して説明された特徴も上述において言及されていない残りのバンドアイロナにも適用可能である。
【符号の説明】
【００９０】
１０            バンドアイロナ
１１            洗濯品
１２            アイロナローラ
１３            外側面
１４            長手中心軸線
１５            キャビティ
１６            熱媒油（熱ヒータ）
１７            アイロナバンド
１８            案内ドラム
１９            案内ドラム
２０            案内ドラム
２１            導入範囲
２２            導出範囲
２３            隙間
２４            押圧シリンダ
２５            アイロナ隙間
２６            ハウジング
２７            吸込みブロワ
２８            アイロンがけ方向
２９            投入機械
３０            供給コンベヤ
３１            投入コンベヤ
３２            折りたたみ機
３３            材料ストリップ
３４            保持バー
３５            横方向エッジ
３６            前側エッジ
３７            材料ストリップ
３８            バンドアイロナ
３９            キャビティ
４０            キャビティ
４１            外側シリンダケーシング
４２            内側シリンダケーシング
４３            仕切り壁
４４            仕切り壁
４５            供給接続部
４６            供給接続部
４７            導出接続部
４８            導出接続部
４９            供給配管
５０            排出配管
５１            凝縮ドレン
５２            凝縮フラッシュトラップ
５３            排出配管
５４            凝縮ドレン
５５            供給配管
５６            排出配管
５７            凝縮ドレン
５８            排出配管
５９            バイパス配管
６０            減圧弁
６１            バンドアイロナ
６２            アイロナボディ
６３            アイロナボディ
６４            アイロナバンド
６５            アイロナ隙間
６６            導入範囲
６７            導出範囲
６８            導入範囲
６９            導出範囲
７０            頂部案内ドラム
７１            底部案内ドラム
７２            外側プレート
７３            内側プレート
７４            キャビティ
７５            接続部
７６            端部
７７            端部
７８            刺入線
７９            端部範囲
８０            端部範囲
８１            重複範囲
８２            面取り部
８３            横方向エッジ
８４            案内ドラム
８５            スペース
８６            バッフル
８７            頂部走行部
８９            エアノズル
９０            ブラシリング
９１            バンド
９２            スペース
９３            ブラシ
【図１】
2016137242.tif 000003
【図２】
2016137242.tif 000004
【図３】
2016137242.tif 000005
【図４】
2016137242.tif 000006
【図５】
2016137242.tif 000007
【図６】
2016137242.tif 000008
【図７】
2016137242.tif 000009
【図８】
2016137242.tif 000010
【図９】
2016137242.tif 000011
【図１０】
2016137242.tif 000012
【図１１】
2016137242.tif 000013
【外国語明細書】
2016137242000001.pdf